(57)【特許請求の範囲】
【請求項１】
始動口と入賞装置と図柄表示体を備え、
前記入賞装置は、パチンコ球が前記始動口に入賞するとパチンコ球が予め設定された時間だけ入賞可能な開状態になる開閉可能な大入賞口と、その大入賞口を通ったパチンコ球が転動可能な入賞空間と、パチンコ球が通過すると大当りとなる特定領域とを有し、大当り中にパチンコ球が前記特定領域を再度通過すると、その時点から次のラウンドに移行して、所定回数までのラウンドを繰り返すことができるように構成され、
前記入賞空間内には、前記大入賞口を通ったパチンコ球を受け入れることによって、前記特定領域に入る可能性を増大させる可動部を備えるパチンコ機であって、
前記可動部は、パチンコ球を受け入れる下傾端位置と受け入れない上傾端位置との間を昇降動作する複数の作動パターンで作動可能に構成され、且つ、パチンコ球を受け入れた可動部が上昇すると、そのパチンコ球は特定領域を通過する可能性があり、
（イ）電源を投入すると、前記可動部は通常作動パターンで動作し、その間に、該可動部に受け入れたパチンコ球が特定領域に入賞すると大当たりとなり、
（ロ）前記始動口への入賞に基づいて拡開中の大入賞口を通ったパチンコ球が、前記大当たりの場合を除き、「大入賞口入賞検出スイッチ」で検出されると図柄表示体の図柄変動を開始し、その図柄表示体の停止図柄が特定図柄であると、前記大入賞口の閉鎖後に、前記可動部は第２作動パターンで作動し、その間に、該可動部に受け入れたパチンコ球が特定領域に入賞すると大当たりとなる一方、前記図柄表示体の停止図柄が非特定図柄であると前記可動部が通常作動パターンで作動し、
（ハ）前記始動口への入賞に基づいて拡開中の大入賞口を通ったパチンコ球が、前記特定領域を通過して「特定領域通過検出スイッチ」で検出されると大当りとなり、
前記大当り中において、前記大入賞口は開閉動作を繰返すと共に、前記可動部は、前記所定回数より少ない設定回数のラウンドまでは第３作動パターンで作動し、該設定回数の次のラウンドから前記所定回数のラウンドまでは第１作動パターンで作動し、
前記第１作動パターンにおける可動部は、上傾端位置と下傾端位置の間を所定時間で１往復する動作を繰返し、
前記通常作動パターンにおける可動部は、上傾端位置で特定時間停留しその後前記所定時間で上傾端位置と下傾端位置の間を１往復するというパターンを繰返し、
前記第２作動パターンにおける可動部は、下傾端位置で僅かな時間の間停留しその後前記所定時間で下傾端位置と上傾端位置の間を１往復するというパターンを繰返し、
前記第３作動パターンにおける可動部は、前記大入賞口の開閉動作を特定回数実施する間、パチンコ球を受け入れる下傾端位置で停留し、その後、前記所定時間で上傾端位置と下傾端位置の間を１往復する動作を繰り返すことを特徴とするパチンコ機。
【発明の詳細な説明】
【０００１】
【産業上の利用分野】
この発明はパチンコ機に関する。
【０００２】
【従来の技術】
パチンコ機の入賞装置には大入賞口を通り抜けたパチンコ球の動きに変化を与えて入賞態様を変化させる各種の可動部材が組込まれている。
【０００３】
【発明が解決しようとする課題】
本発明の課題は入賞装置の可動部材の作動制御態様や始動入賞態様に関して新規な趣興を有するパチンコ機を提供するこである。
【０００４】
【課題を解決するための手段】
請求項１のパチンコ機は、始動口と入賞装置と図柄表示体を備えていて、前記入賞装置は、パチンコ球が前記始動口に入賞するとパチンコ球が予め設定された時間だけ入賞可能な開状態になる開閉可能な大入賞口と、その大入賞口を通ったパチンコ球が転動可能な入賞空間と、パチンコ球が通過すると大当りとなる特定領域とを有し、大当り中にパチンコ球が前記特定領域を再度通過すると、その時点から次のラウンドに移行して、所定回数までのラウンドを繰り返すことができるように構成されている。
又、前記入賞空間内には、前記大入賞口を通ったパチンコ球を受け入れることによって、前記特定領域に入る可能性を増大させる可動部を備えている。
又、前記可動部は、パチンコ球を受け入れる下傾端位置と受け入れない上傾端位置との間を昇降動作する複数の作動パターンで作動可能に構成され、且つ、パチンコ球を受け入れた可動部が上昇すると、そのパチンコ球は特定領域を通過する可能性がある。
そして、（イ）電源を投入すると、前記可動部は通常作動パターンで動作し、その間に、該可動部に受け入れたパチンコ球が特定領域に入賞すると大当たりとなる。又、（ロ）前記始動口への入賞に基づいて拡開中の大入賞口を通ったパチンコ球が、前記大当たりの場合を除き、「大入賞口入賞検出スイッチ」で検出されると図柄表示体の図柄変動を開始し、その図柄表示体の停止図柄が特定図柄であると、前記大入賞口の閉鎖後に、前記可動部は第２作動パターンで作動し、その間に、該可動部に受け入れたパチンコ球が特定領域に入賞すると大当たりとなる一方、前記図柄表示体の停止図柄が非特定図柄であると前記可動部が通常作動パターンで作動する。又、（ハ）前記始動口への入賞に基づいて拡開中の大入賞口を通ったパチンコ球が、前記特定領域を通過して「特定領域通過検出スイッチ」で検出されると大当りとなる。そして、前記大当り中において、前記大入賞口は開閉動作を繰返すと共に、前記可動部は、前記所定回数より少ない設定回数のラウンドまでは第３作動パターンで作動し、該設定回数の次のラウンドから前記所定回数のラウンドまでは第１作動パターンで作動する。
前記第１作動パターンにおける可動部は、上傾端位置と下傾端位置の間を所定時間で１往復する動作を繰返す。又、前記通常作動パターンにおける可動部は、上傾端位置で特定時間停留しその後前記所定時間で上傾端位置と下傾端位置の間を１往復するというパターンを繰返す。又、前記第２作動パターンにおける可動部は、下傾端位置で僅かな時間の間停留しその後前記所定時間で下傾端位置と上傾端位置の間を１往復するというパターンを繰返す。そして、前記第３作動パターンにおける可動部は、前記大入賞口の開閉動作を特定回数実施する間、パチンコ球を受け入れる下傾端位置で停留し、その後、前記所定時間で上傾端位置と下傾端位置の間を１往復する動作を繰り返す。
【０００５】
【作用】
尚、前記可動部の作用を実施例に基づいて説明すると、第１作動パターンにおける可動部は、図２１に示すように、上傾端位置と下傾端位置の間を往復動する動作を所定時間（２．０秒）で１回の割合で繰り返す。
又、前記通常作動パターンにおける可動部は、図１５に示すように、上傾端位置で所定時間（３．５秒）停留してから、所定時間（２．０秒）で１回の割合で上傾端位置と下傾端位置の間を往復動し、このパターンの動作を繰り返す。
又、前記第２作動パターンにおける可動部は、図２０に示すように、下傾端位置で僅かな時間（０．５秒）停留し、その後に下傾端位置と上傾端位置の間を所定時間（２．０秒）で１回の割合で往復動し、このパターンの動作を繰り返す。  又、前記第３作動パターンにおける可動部は、図２２に示すように、前記大入賞口の開閉動作を特定回数実施する間、パチンコ球を受け入れる下傾端位置で停留し、その後、上傾端位置と下傾端位置の間を、所定時間（２．０秒）で１回の割合で往復動する動作を繰り返す。
以上により、単位時間当たり、可動部がパチンコ球を受け入れ易く、パチンコ球を特定領域を通過させ易い動作パターンの順位は、第３作動パターン、第２作動パターン、第１作動パターン、通常作動パターンである。
【０００６】
【発明の効果】
本発明によれば、大入賞口を通ったパチンコ球であっても大当たりの場合と大当たりでない場合があり、それらに応じて可動部の作動パターンを変更するので、ゲームの興趣の向上を図ることができると共に、可動部は大当たり中に第３作動パターンと第１作動パターンで作動するので、多くの入賞球を得ることができる。
【０００７】
【実施例】
次に、本発明の１実施例を図面にしたがって説明する。
パチンコ機の木枠８０の前面の下端には下皿８１と、遊技者によって回動操作される操作ハンドル８２と、パチンコ球を単発発射するときに操作される発射装置停止スイッチ８３とが配設され、金枠８４の下部には上皿８５が取付けられ、パチンコ機の枠部８６の表側には金枠８４の開放を検出する金枠検出スイッチ８７と、賞品球払出し兼賞品切れ表示灯１２７とが取付けられるとともに、枠部８６の中央部には遊技盤１が組付けられている。
【０００８】
木枠８０の前面に取付けられた装飾部材には当り表示灯８８〜８８と金枠開放表示灯８９とが取付けられている。
【０００９】
図３において、枠部８６の裏側の中央部に配設された基板ボックス９０内にはこのパチンコ機の諸機能をコントロールする制御装置の制御基板７７が装入されている。
【００１０】
枠部８６の裏側の下端には打球ハンマ９１を駆動する発射モータ９２と、発射モータ駆動回路９３ａがプリントされた発射装置制御基板９３とが配設され、この発射装置制御基板９３には遊技者が操作ハンドル８２に触れたときにＯＮとなるタッチスイッチ９４と、遊技者が操作ハンドル８２を操作したときにＯＮとなるハンドルスイッチ９５と、発射装置停止スイッチ８３とが接続されている。
【００１１】
枠部８６の裏側の上端には球タンク９７と、タンクレール９８と、賞品球切れ検出スイッチ１２６とが配設され、裏枠部８６の一側部には球タンク９７内から送り込まれた賞品球を受け入れる賞品球ケース９９と、７個若しくは１５個の賞品球の払い出しが可能な賞品球払い出し装置１００と、入賞球の到来によって賞品球払い出し装置１００を起動させる払い出し起動機構１０１とが、枠部８６の裏面に取付けられた合成樹脂製の基枠１２８にそれぞれ脱着可能に組付けられている。
【００１２】
パチンコ球が１５個獲得入賞口へ入球すると、その入賞球が払い出し起動機構１０１の賞品球払い出しモータ１０２のモータ軸に固定された球切りカム１０３によって受け止められ、賞品球払い出し検出スイッチ１０４がＯＮとなって賞品球の払い出しを検出するとともに、連結ロッド１０５が上動して賞品球払い出し装置１００の内昇降板１００ａおよび内球止め片１００ｂが上動しかつ賞品球放出弁１００ｃが下方へ傾動し、賞品球払い出し装置１００の球貯留部内の賞品球のうちの１５個の賞品球が上皿８５上へ払い出される。
【００１３】
パチンコ球が７個獲得入賞口へ入球すると、同様にして内昇降板１００ａおよび内球止め片１００ｂが上動して放出弁１００ｃが下方へ傾動すると同時に、外昇降板駆動ソレノイド１０６が励磁されて外昇降板１００ｄおよび外球止め片１００ｅが上動し、球貯留部内の賞品球のうちの７個の賞品球が上皿８５上へ払い出される。
【００１４】
枠部８６の裏側の下部には賞品球払い出し禁止スイッチ１０７と、この賞品球払い出し禁止スイッチ１０７、金枠検出スイッチ８７、ハンドルスイッチ９５がそれぞれ接続された防犯基板１０８とが配設され、枠部８６の上部には賞品球切れ検出スイッチ１０９が配設され、また、基枠１２８の上方位置には当り情報をパチンコ機の外部に出力するための当り情報出力端子１１０Ａと、パチンコ機の外部からの入力により発射装置を起動、停止するための発射装置制御入力端子１１０Ｂと、金枠検出スイッチ８７の作動によってパチンコ機の外部に金枠開放情報を出力する金枠開放情報出力端子１１０Ｃと、賞品球が不足した場合にパチンコ機の外部に賞品球切れ情報を出力する賞品球切れ情報出力端子１１０Ｄとが集合され、さらに、外部からの配線を分離可能に接続するコネクタが端子板を介して取付けられている。
【００１５】
また、遊技盤１の裏側に配設されて裏面に制御基板ボックス９０が組付けられ、遊技盤１の裏側へ排出されたセーフ球を集合させるセーフ球集合カバー１２９の背面には大入賞口始動情報を出力する２個の大入賞口始動情報出力端子１１０Ｅ，１１０Ｅ′と、大当り情報を出力する大当り情報出力端子１１０Ｆ，１１０Ｆ′とが集合されるとともに、外部配線を分離可能に接続するコネクタが端子板を介して取付けられている。但し、本例では大当り情報は後記連続作動口２２へのパチンコ球の落入時に出力され、当り情報は後記第２図柄表示体７５の停止図柄が３若しくは７となった場合に出力され、大入賞口始動情報は後記各始動口４Ａ，４Ｂ，４Ｃへのパチンコ球の落入時に出力される。
【００１６】
外部接続用端子となる４つの出入力端子１１０Ａ，１１０Ｂ，１１０Ｃ，１１０Ｄは表示ランプ等の電気部品を直接作動させる電力出入力端子であり、外部接続用端子となる４つの出力端子１１０Ｅ，１１０Ｅ′，１１０Ｆ，１１０Ｆ′はデータの出力に止まる信号波出力端子であり、本例では出力端子１１０Ｅ，１１０Ｅ′，１１０Ｆ，１１０Ｆ′から大入賞口始動情報および大当り情報のみを出力するように構成したが、この他、制御基板７７において発生する各種情報、例えば遊技盤１の各入賞口へ入賞情報や、各始動口への入賞情報や、特別に設定された入賞口への特別入賞情報や、図柄表示体の停止図柄が特別の図柄となった場合の当り情報や、複数の図柄表示体の停止図柄の組合せについて特別の組合せが成立した場合の当り情報等を、出力端子１１０Ｅ，１１０Ｅ′，１１０Ｆ，１１０Ｆ′から個々に若しくは併合して出力するようにしてもよい。
【００１７】
なお、各スイッチ類、表示灯、モータ、ソレノイド等の各種電気部品に接続されたリード線はそれぞれ図１４に示すコネクタ１３０〜１３０を介して回路基板に接続されている。
【００１８】
遊技盤１の遊技盤面１ａにはその中央部付近に配設された入賞装置１０と、この入賞装置１０の両側方にそれぞれ配設された天下左入賞口２Ａ及び天下右入賞口２Ｂと、入賞装置１０の両側斜め下方にそれぞれ配設された左チューリップ式役物３Ａ及び右チューリップ式役物３Ｂと、入賞装置１０の下方で横方向へ配列された左始動口４Ａ、中始動口４Ｂ、右始動口４Ｃと、入賞装置１０の直下に配設されてパチンコ球が通り抜けるゲート１１５とが設置されている。
【００１９】
図４において、遊技盤１の裏側には入賞装置１０を通り抜けたパチンコ球を検出する大入賞口入賞検出スイッチ１１６と、左始動口入賞検出スイッチ１１７と、中始動口入賞検出スイッチ１１８と、右始動口入賞検出スイッチ１１９と、ゲート１１５を通り抜けたパチンコ球を検出する図柄作動スイッチ１２０と、天入賞口入賞検出スイッチ１２１と、中始動口開放ソレノイド１２２と、中継基板１２３とが設置され、また、パチンコ球を誘導する誘導樋１２４が取付けられている。
【００２０】
次に、入賞装置１０について説明すると、入賞装置１０のベース枠５には中央部にほぼ方形状の開口部を有し、左右方向の中央部付近が両側方へ拡張された平板枠状で遊技盤面１ａに添着される前枠部６が形成されるとともに、この前枠部６の裏面には前枠部６の上開口縁と両側開口縁と前枠部６の下端部裏面とにそれぞれ直交状に連接された後枠部７が後方へ突出形成されている。
【００２１】
前枠部６の前面左右部には前枠部６の両側開口縁の上部に連接されて前方へ垂立状態で突出された左右１対の障壁６ａ，６ａが並行状に形成されるとともに、前枠部６の左右部で両障壁６ａの下方には左右１対のガイド孔６ｂ，６ｂがそれぞれ横長状に貫設されている。
【００２２】
前枠部６の上端部には方形孔状の天入賞口８が開設されるとともに、天入賞口８の下方には横長の方形孔状のＬＥＤ挿通口６ｃが開口されている。
【００２３】
前枠部６の上端部裏面には前端縁の上部が天入賞口８の両側開口縁にそれぞれ連接された両側板９ａと、前端縁が天入賞口８の下開口縁に連接された底板９ｂとを有する前樋片９が一体状に形成されている。
【００２４】
後枠部７の底板７ａ上の中央部付近には図７に示すように左右１対の仕切り板１１が１個のパチンコ球の通過可能な間隙を隔てて並行状に立設され、両仕切り板１１間には球通路１２が前後方向に沿って形成されている。
【００２５】
ベース枠５の前枠部６の上端部前面には後方開放の箱形状に形成された上ケース体１３が取着され、この上ケース体１３の上面には天入賞口８の下開口縁に整合された中案内面１３ａと、この中案内面１３ａの左右側縁に連接されてそれぞれ内方へ下傾した左右ガイド面１３ｂとが形成され、上ケース体１３の左右端部下面はベース枠５の上開口縁に整合されかつ両障壁６ａの上端縁に近接されている。
【００２６】
上ケース体１３の前面には上部が中案内面１３ａ及び左右案内面１３ｂの上方へ突出された装飾板１３ｃが垂直状に固着され、上ケース体１３の各案内面１３ａ，１３ｂ上へ転落して天入賞口８内を通過したパチンコ球は前樋片９の底板９ｂ上へ誘導される。上ケース体１３の前端中央部にはＬＥＤ挿通口１０の前側に隣接された窓枠部１３ｄが形成され、この窓枠部１３ｄ内の前端には透光板１２５が嵌め込まれるとともに、透光板１２５の後方には窓枠部１３ｄに取付けられたＬＥＤ基板１７が垂直状に設置されている。
【００２７】
ＬＥＤ基板１７の前面の左右端部にはＬＥＤ基板１７のプリント配線に接続された２対の記憶数表示ＬＥＤ１８が取付けられるとともに、ＬＥＤ基板１７の前面中央部にはＬＥＤ基板１７のプリント配線に接続されて前面が透光板１２５に対置され、遊技者に利益を与えるために予め設定される特定図柄を含む図柄群を変動表示する左第１図柄表示体（表示ＬＥＤ）１５Ａおよび右第１図柄表示体（表示ＬＥＤ）１５Ｂが取付けられている。
【００２８】
両第１図柄表示体１５Ａ，１５Ｂは遊技盤面１ａに打出されたパチンコ球がゲート１１５を通り抜けて図柄作動スイッチ１２０によって検出されると、図柄の変動表示を開始して７つの図柄２，３，４，５，６，７，８を移行速度０．０３２秒、周期０．２２４秒で変動表示し、左第１図柄表示体１５Ａは変動表示の開始時から９．０１２秒経過した時点で変動表示を停止し、右第１図柄表示体１５Ｂは変動表示の開始時から１０．０１２秒経過した時点で変動表示を停止し、右第１図柄表示体１５Ｂが変動表示を停止してから０．００４秒に停止図柄が判定される。
【００２９】
ベース枠５の中央部付近には透明合成樹脂材で成形されて後枠部７の両側板に両持状に支持された振り分け棚４８が前方へ若干下傾した姿勢で横架され、この振り分け棚４８の前端の左右方向中央部には前枠部６の前方へ突出された前突片４８ａが形成されてこの前突片４８ａにはパチンコ球の通過可能な方形孔状の特別入球口４９が開設される一方、振り分け棚４８の後端の左右端部にはそれぞれ後枠部７の後方へ突出された左右１対の後突片４８ｂが形成され、振り分け棚４８の後端縁４８ｃの位置はベース枠５の後枠部７の後端縁の位置にほぼ整合されている。
【００３０】
ベース枠５の前枠部６の下端部前面には前板１９ａと、この前板１９ａの裏面に連接された胴壁部１９ｂとを有する下ケース体１９が取着され、このケース体１９の胴壁部１９ｂの左右１対の上端縁１９ｃはベース枠５の両障壁６ａの直下にそれぞれ配設されてこの両上端縁１９ｃと両障壁６ａの下端縁との間にはそれぞれ大入賞口２０が開設されている。
【００３１】
下ケース体１９内にはこの下ケース体１９の左右方向中央部に配設された角筒状の入球筒２１ａと、箱形状のスイッチケース２１ｂとを有する球受部材２１が取外し可能に取付けられ、入球筒２１ａ内には振り分け棚４８の特別入球口４９の直下に配設された連続作動口２２が開設されるとともに、スイッチケース２１ｂ内には連続作動口２２内へ落入したセーフ球の通過を検出する特定領域通過検出スイッチ２３が装入され、この特定領域通過検出スイッチ２３の検出口２３ａは連続作動口２２の直下に配設され、連続作動口２２内へ落入したセーフ球は下ケース体１９の底板１９ｃ上へ転落してベース枠５の球通路１２内へ誘導され、球通路１２の後端から下方へ送出される。
【００３２】
パチンコ球が連続作動口２２（特定領域）内へ落入して特定領域通過検出スイッチ２３によって検出されると連続作動装置が作動する。
【００３３】
下ケース体１９の胴壁部１９ｂ内の一端に垂直状にビス着されたＬＥＤ基板７６には前板１９ａに開設された窓枠部１９ｄに対向して第２図柄表示体（表示ＬＥＤ）７５が設置されている。
【００３４】
第２図柄表示体７５（図柄表示体）はパチンコ球が大入賞口２０へ入賞して大入賞口入賞検出スイッチ１１６が入賞を検出した時点で図柄の変動表示を開始して８つの図柄１，２，３，４，５，６，７，８を始めに移行速度０．０３２秒、１周期０．２５６秒で高速変動表示し、続いて、移行速度０．１２８秒、１周期１．０２４秒で低速変動表示してから変動表示を停止し、停止図柄が判定される。
【００３５】
ベース枠５内の下端部付近には振り分け棚４８の下方に並設されて前部が下ケース体１９の胴壁部１９ｂ上に載置されて球受部材２１の入球筒２１ａが貫挿された前底板２４が後下り状態で取外し可能に装入され、この前底板２４の後部の左右端縁にはベース枠５の後枠部７の下端部付近に前後方向に沿って凹設された左右１対の係合溝７ｂ内に係入された断面Ｌ形状の係止片２４ａがそれぞれ形成される一方、前底板２４の後端縁の中央部には上面が後下がり状に傾斜した誘導片２４ｂの前上端縁が連接され、この誘導片２４ｂの下端部には水平状に形成された受承片２４ｃが連接されている。
【００３６】
ベース枠５の前枠部６の前面中央部付近には両大入賞口２０を開閉するために並設された左右１対の大入賞口開閉部材２７がそれぞれ水平移動可能に取付けられている。両大入賞口開閉部材２７には上外方から下内方へ円弧状に湾曲したガイド面２７ａを有し、前枠部６の前面に添設された基部２７ｂと、この基部２７ｂの前面に固着されて基部２７ｂの縦断面積より拡大された面積を有する前板２７ｃと、基部２７ｂの後側面の下端部に突設されてベース枠５のガイド孔６ｂ内に抜け止め状態で水平スライド可能に貫挿されたスライド部２７ｄとがそれぞれ形成され、両スライド部２７ｄには後方へ突出された連動ピン２８がそれぞれ挿着されている。
【００３７】
ベース枠５の裏側に組付けられた球受ケース３０は後枠部７の両側板７ｃの後方に突合わせ状に隣設された両側板３１と、後枠部７の天板７ｂの後方に突合わせ状に隣設された天板３２と、後枠部７の底板７ａの後方に隣設された底板３３と、両側板３１、天板３２及び底板３３の各後端縁に接合された奥板３４とによって前方開放のほぼ方形箱形状に形成されている。
【００３８】
大入賞口２０内を通過したセーフ球（パチンコ球）はベース枠５の枠内と球受ケース３０の内部とにわたって形成された入賞室４０内へ転落してこの入賞室４０内を通過し、球受ケース３０の底板３３の前端部に開設された通過口３３ａ内を通じて球受ケース３０の下方へ送出される。入賞室４０内の空間はパチンコ球が転動可能な入賞空間に相当する。
【００３９】
球受ケース３０の天板３２の上面の前端中央部には天入賞口８内へ落入してから前樋片９の底板９ｂ上を通過して後方へ転動したパチンコ球を一側方へ誘導するために前樋片９の後方に隣設された後樋片３５が突出形成され、この後樋片３５の下部にはリード線束を挿通するリード線挿通口３５ａが開設されている。
【００４０】
球受ケース３０の奥板３４の下部の左右方向中央部には方形状の通し窓３４ａが開設されるとともに、奥板３４の裏面にはその左右方向の中央部に配設されて後端にガイドピン３６ａがそれぞれ挿着された上下１対の第１支え棒３６と、奥板３４の上部の左右方向中央部付近及び上下方向中央部付近の左右端部とそれぞれ配設された左右２対の第２支え棒３７と、奥板３４の上下端部にそれぞれ配設された左右２対の第３支え棒３８とがそれぞれ後方へ水平状に突出形成され、両第１支え棒３６の長さは各第２支え棒３７の長さより短縮され、各第２支え棒３７の長さは各第３支え棒３８の長さより短縮されている。
【００４１】
両側板３１の外側面の上端部には円筒状で前後方向に沿って延長された左右１対の軸受け４５がそれぞれ突出形成され、この両軸受け４５内にそれぞれ回転可能に貫挿支持された左右１対の開閉軸４１の前端には左右１対の前伝動部材４２の上端部がそれぞれ固定される一方、両開閉軸４１の後端には先端部が内方へ延出された左右１対の後伝動部材４３の基端部がそれぞれ固定され、この両後伝動部材４３の先端部には後方へ突出された連動ピン４４がそれぞれ挿着されている。
【００４２】
両前伝動部材４２の前下端部にそれぞれ縦長状に貫設された両通し孔４２ａ内には両大入賞口開閉部材２７の連動ピン２８がそれぞれ挿入され、両大入賞口開閉部材２７と両開閉軸４１とが両前伝動部材４２を介して連動可能に連繋されている。
【００４３】
球受ケース３０の奥板３４の裏面には中央部付近が切除されたランプ基盤４７が垂直状に取着され、このランプ基盤４７の上端部及び左右端部にはそれぞれ１対のランプ７２が前向き状に取付けられるとともに、ランプ基盤４７の上部の左右端部にはそれぞれ縦一列に配列された各４個の大入賞口入賞数表示ＬＥＤ４６がその前端面が露出された状態で取付けられている。
【００４４】
左側の４個の大入賞口入賞数表示ＬＥＤ４６の番号を上から順に１，２，３，４とし、右側の４個の大入賞口入賞数表示ＬＥＤ４６の番号を上から順に５，６，７，８とすると、各大入賞口入賞数表示ＬＥＤ４６はパチンコ球がゲート１１５を通り抜けたときには１・５→２・６→３・７→４・８の順に移行速度０．１２８秒、周期０．５１２秒で移動点灯し、特定領域通過検出スイッチ２３が入賞球を検出したときには１→１，２→１，２，３→１，２，３，４→１，２，３，４，５→１，２，３，４，５，６→１，２，３，４，５，６，７→１，２，３，４，５，６，７，８→全て点滅→全て点滅の順に周期０．２５６秒若しくは０．１２８秒で変動点灯する。
【００４５】
球受ケース３０内にはその奥板３４の前面に取付けられたキャラクタ５０が設置され、このキャラクタ５０は本例ではアメリカンフットボールの選手を模擬した形態に形成されている。
【００４６】
キャラクタ５０はヘルメットを着用した顔部の形態およびユニフォームを着用した胴体部の形態を模擬した外形を有し、球受けケース３０の奥板３４の前面に固定された固定部５１と、両腕の形態および両手でバケットを握持した形態を模擬した外形を有し、固定部５１に結合されて制御装置の指令によって駆動制御される可動部５２とを備えている。
【００４７】
キャラクタ５０の固定部５１には頭部５１ａと胴体部５１ｂとが形成され、胴体部５１ｂの上部には後支軸５５が水平状態で回転可能に貫挿支持され、この後支軸５５の中央部にはその後方へ延出されて後端部に伝動ピン５７ａが横状に挿着された伝動片５７の前端部が固定されている。
【００４８】
キャラクタ５０の可動部５２には固定部５１の胴体部５１ｂに後支軸５５を介して上下方向への傾動可能に結合されて胴体部５１ｂの両側に隣設された左右１対のアーム（可動部材）５６，５６と、この両アーム５６の先端に前支軸５８を介して前後方向への傾動可能に結合された球受渡し部材５９とが形成されている。
【００４９】
両アーム５６はその基端部が後支軸５５の両端部にそれぞれ固定された状態で伝動片５７の反対方向へ延出され、伝動片５７と反対方向へ傾動するように並設されている。
【００５０】
球受渡し部材５９は底壁部５９ａと左右の側壁部５９ｂと奥壁部５９ｃとが連接されて１個のパチンコ球の受入れおよび前方への放出が可能な形状を有し、自重で前傾動端から後傾動端へ復帰傾動するように底壁部５９ａの先端が両アーム５６の先端に連結されている。
【００５１】
球受渡し部材５９の底壁部５９ａの先端縁にはその先方へ突出された左右１対の突片５９ｄが連接され、球受渡し部材５９上には球停留部が形成されている。
【００５２】
球受渡し部材５９は両アーム５６が下傾端へ傾動した状態では入賞室４０内の下端の左右方向の中央部に後傾動端へ傾動してパチンコ球の受入れが可能な姿勢（遊技者に有利な状態に相当する；図９，図１０を参照）で前底板２４の誘導片２４ａの後側に隣接して設置され、両アーム５６が上傾端へ傾動すると、その上傾端の手前で両突片５９ｄが振り分け棚４８の後端縁４８ｃに突き当たって両突片５９ｄの上動が阻止され、球受渡し部材５９が前支軸５８を中心として前傾動端へ傾動する（図９，図１１を参照）。このとき、球受渡し部材５９上にパチンコ球が停留している場合にはそのパチンコ球は球受渡し部材５９上から振り分け棚４８上へ放出され、振り分け棚４８の中央部上を前方へ直進して特別入球口４９内へ落入し、さらに連続作動口２２内へ落入する。すなわち図９，図１１から明らかなように、両アーム５６が上傾端へ傾動した状態ではパチンコ球が連続作動口２２に入り易い位置で放出する姿勢になる。
【００５３】
入賞室４０内へ落入したセーフ球は特別入球口４９内へ落入し、さらに、連続作動口２２内へ入球して通過口３３ａ内へ落入する特別入賞経路を通過するか、もしくは特別入球口４９内へ落入せずに通過口３３ａ内へ落入する通常入賞経路を通過するかの２通りに球受渡し部材５９によって振り分けられる。
【００５４】
球受ケース３０の奥板３４の中央部付近の後側には正面形状が縦長十形状に形成された連動部材６０が上下動可能に設置され、この連動部材６０にはその中央部に配設された横長状の基片６０ａと、この基片６０ａ上の左右方向中央部に垂立された縦長状の上片６０ｂと、基片６０ａの下面の左右方向中央部に垂下された下片６０ｃと、基片６０ａの前面の中央部に連接されて前方へ突出された突片６０ｄとが形成され、基片６０ａには横長状の中央ガイド孔６０ｅが貫設される一方、上片６０ｂ及び下片６０ｃにはそれぞれ縦長状の上下ガイド孔６０ｆが貫設され、この上方ガイド孔６０ｆ内には奥板３４の両第１支え棒３６の両ガイドピン３６ａがそれぞれ貫挿され、連動部材６０は奥板３４に両ガイドピン３６ａを介して上下動可能に支持されている。突片６０ｂの先端部には縦断面が逆Ｌ形状の掛合部６０ｈが形成され、この掛合部６０ｈには伝動片５７の伝動ピン５７ａが掛止されている。
【００５５】
連動部材６０は突片６０ｄと伝動片５７とを介して両アーム５６に連動可能に連繋され、球受渡し部材５９が下死点へ変位した状態で連動部材６０が下降したときには伝動片５７の伝動ピン５７ａが突片６０ｄで押下げられて両アーム５６が上方へ傾動し、球受渡し部材５９が上昇する一方、球受渡し部材５９が上死点へ変位した状態で連動部材６０が上昇したときには伝動片５７が球受渡し部材５９の自重で上方へ傾動しかつ両アーム５６が下方へ傾動して球受渡し部材５９が下降する。
【００５６】
球受ケース３０の奥板３４の後方には奥板３４の各第２支え棒３７の後端にビス着された金属製の取付プレート６１が垂直状に設置され、この取付プレート６１の裏面の左右端部には左右１対の開閉ソレノイド６２，６２がそれぞれ若干傾斜して上向き状に取着されている。両開閉ソレノイド６２の作動軸６２ａの先端には作動軸６２ａに外嵌されたスプリング６２ｂによって上方へ付勢された作動片６３がそれぞれ取付けられ、この両作動片６３の上端部にそれぞれ貫設された横長状の孔部６３ａ内には前記両後伝動部材４３の両連動ピン４４がそれぞれ係入されて両開閉ソレノイド６２の作動軸６２ａと両後伝動部材４３とが連動可能に連繋されている。
【００５７】
両開閉ソレノイド６２の両作動軸６２ａが下方へ退動したときには両側の前後伝動部材４２，４３がそれぞれ外方へ揺動して両大入賞口開閉部材２７がそれぞれ外方へ水平移動し、両大入賞口２０が開放されて両大入賞口２０内へのパチンコ球の転落が可能となる一方、両開閉ソレノイド６２の両作動軸６２ａが上方へ進動したときには両側の前後伝動部材４２，４３がそれぞれ内方へ揺動して両大入賞口開閉部材２７がそれぞれ内方へ水平移動し、両大入賞口２０が閉鎖されて両大入賞口２０内へのパチンコ球の転落が不能となる。
【００５８】
取付プレート６１の後方には垂直状の縦板６４ａと、この縦板６４ａの周縁に連接されて後方へ突出された周壁板６４ｂとを有し、後方開放の偏平箱形状に形成されて奥板３４の各第３支え棒３８の後端にビス着された密封ケース６４が垂立状態で設置されている。
【００５９】
密封ケース６４の縦板６４ａの前面に各第３支え棒３８にそれぞれ対向して凸設された各突部６４ｃには第３支え棒３８の後端が突入された凹陥部６４ｄが密封ケース６４の取付状態を安定化するためにそれぞれ凹設されている。
【００６０】
密封ケース６４の縦板６４ａの裏面中央部付近にはキャラクタ５０の両アーム５６を駆動するパルスモータ型のキャラクタ駆動モータ６５が前向き状に取付けられ、このキャラクタ駆動モータ６５の出力軸６５ａは密封ケース６４の縦板６４ａを貫通して前方へ突出され、この出力軸６５ａには円柱状のカム６６が嵌着されている。このカム６６の前端面の偏心位置に突設されてカム６６が回転したときにカム６６の回転軸の回りへ旋回する駆動ピン６６ａは連動部材６０の中央ガイド孔６０ｅ内に係入され、カム６６の１回転毎に連動部材６０が駆動ピン６６ａによって上下方向へ１回往復移動して両アーム５６が上下方向へ１回往復傾動し、球受渡し部材５９が１回昇降する。
【００６１】
密封ケース６４の前面には投光素子と受光素子との間に凹設された検出溝６７ａを有するキャラクタ用定位置検出スイッチ６７（光電スイッチ）がカム６６に対向して取着される一方、カム６６の外周面にはキャラクタ用定位置検出スイッチ６７の検出溝６７ａ内への通過可能な半円形板状に形成された指令片６８がほぼ半周面にわたって突設され、この指令片６８と駆動ピン６６ａとの相対位置はカム６６の駆動ピン６６ａが上死点から下死点へ旋回する間は指令片６８がキャラクタ用定位置検出スイッチ６７の検出溝６７ａ内から離脱した状態で旋回し、カム６６の駆動ピン６６ａが下死点から上死点へ旋回する間は指令片６８の一部がキャラクタ用定位置検出スイッチ６７の検出溝６７ａ内へ侵入した状態で旋回するように設定され、駆動ピン６６ａが上死点及び下死点へ旋回して両アーム５６が上傾端及び下傾端へ傾動したときにそれぞれキャラクタ用定位置検出スイッチ６７が検出信号を発信する。
【００６２】
密封ケース６４の周壁板６４ｂの後端面にはこの密封ケース６４内を密封状に覆蓋する蓋板の機能を有する中継回路基板７０が垂直状に取付けられ、この中継回路基板７０の前面には入賞装置１０の内外部に配設された電気、電子部品と、制御基板７７の制御回路とを電気的に接続するプリント配線面７０ａが形成される一方、中継回路基板７０の裏面にはプリント配線面７０ａに接続されて配線用接続端子が解離可能に接続される複数個のコネクタ７１〜７１が取付けられている。密封ケース６４に取付けられたキャラクタ部材駆動モータ６５の胴部は中継回路基板７０の中央部付近に開設された丸孔状の通し孔７０ｂを貫通して後方へ突出されている。
【００６３】
次に、パチンコゲームのゲーム内容について説明する。
遊技盤面１ａへ打出されたパチンコ球が大入賞口２０へ入球すると、１５個の賞品球が遊技者に払い出され、パチンコ球がその他の入賞口へ入球すると７個の賞品球が遊技者に払い出される。
【００６４】
ゲームの開始に際し、パチンコ機の電源を投入すると、キャラクタ部材駆動モータ６５が０〜２．０秒後に起動されてキャラクタ５０のアーム５６は上傾端で３．５秒間停止してから、２秒間に１回上下に往復傾動する間欠往復傾動動作を開始してその動作を反復し（通常作動パターンに相当する；図１５を参照）、第２図柄表示体７５は１を表示する。
【００６５】
遊技盤面１ａへ打ち込まれたパチンコ球がゲート１１５を通り抜けると、両第１図柄表示体１５Ａ，１５Ｂが図柄の変動表示を開始し、９．０１２秒後に左第１図柄表示体１５Ａが変動表示を停止し、１０．０１２秒後に右第１図柄表示体１５Ｂが変動表示を停止する。
【００６６】
ゲート１１５へのパチンコ球の通過の記憶は最高４個まで記憶され、記憶数が記憶数表示ＬＥＤ１８の点灯数によって表示される。
【００６７】
両第１図板表示体１５Ａ，１５Ｂが変動表示を停止したときに両第１図柄表示体１５Ａ，１５Ｂの停止図柄が特定図柄２２，３３，４４，５５，６６，７７，８８の何れかとなった場合には中始動口４Ｂが図柄が判定されてから０．１秒後に１．０秒間開放される。
【００６８】
ゲート１１５へのパチンコ球の通過の記憶がある場合には中始動口４Ｂの閉止時点から０．５０４秒後に記憶数が１つ減算され、両第１図柄表示体１５Ａ，１５Ｂが更び変動表示を開始する。
【００６９】
両第１図柄表示体１５Ａ，１５Ｂの変動表示停止時の停止図柄が外れ図柄となった場合には中始動口４Ｂは開放されない。ゲート１１５へのパチンコ球の通過の記憶がある場合には記憶数が１つ減算され、両第１図柄表示体１５Ａ，１５Ｂが図柄の変動表示を開始する。
【００７０】
パチンコ球が左右始動口４Ａ，４Ｃ内へ入球すると、連続作動装置が１．５秒後に作動し、両開閉ソレノイド６２が１．５秒後に１回励磁されて両大入賞口２０が０．３５２秒間の開放時間で１回開閉される。
【００７１】
パチンコ球が中始動口４Ｂ内へ入球すると、連続作動装置が１．５秒後に作動して両大入賞口２０が１．５秒後に２回開閉され、この時の両大入賞口２０の１回の開放時間は０．３５２秒間で、閉鎖時間は０．８秒間と設定されている。
【００７２】
左右始動口４Ａ，４Ｃ、中始動口４Ｂへの入賞によりパチンコ球が大入賞口２０へ入球すると、大入賞口入賞検出スイッチ１１６の検出信号によって第２図柄表示体７５が図柄の変動表示を開始し、始めに１図柄０．０３２秒の移行速度で０．２５６秒間高速変動表示してから、１図柄０．１２８秒の移行速度で０．２５６秒間低速変動表示して変動表示を停止し、停止図柄が判定される。
【００７３】
第２図柄表示体７５の図柄の変動表示中にパチンコ球が大入賞口２０へ入球しても、第２図柄表示体７５は図柄の変動表示停止後図柄の変動表示を継続しない。
【００７４】
第２図柄表示体７５が図柄の変動表示を停止したときに第２図柄表示体７５が表示した停止図柄が特定図柄３，７の何れか（特定の表示態様）となった場合にはキャラクタ５０の両アーム５６は０〜２秒後に下傾端で０．５秒停止してから、２秒間に１回往復傾動する間欠往復傾動動作を反復し（第２作動パターンに相当する；図２０を参照）、パチンコ球が球受渡し部材５９上に停留する機会が増大して遊技者に利益を与え易い状況が出現する。
この第２作動パターンは、単位時間当たりで見ると、両アーム５６が下傾端で停止する時間（遊技者に有利な状態になる時間）が長くなっているので、特定図柄３，７の何れかで変動表示を停止する前の通常時の作動パターンと比べて連続作動口２２に入賞する可能性が高まる。
【００７５】
第２図柄表示体７５の停止図柄が３、７以外となった場合には両アーム５６は電源投入時と同様に上傾端で３．５秒間停止してから２秒間に１回往復傾動する間欠往復傾動動作を反復する。
【００７６】
大入賞口２０の開放中に、入賞したパチンコ球が連続作動口２２内へ落入して特別領域通過検出スイッチ２３によって検出されると、連続作動装置が４．０秒後に作動し、大入賞口２０が４．０秒後に連続開閉を開始して各回の開放時間を０．７秒間とし、各回の閉鎖時間を０．８秒として２６．２秒間に１８回連続して反復開閉される（図２１、図２２）。
【００７７】
このとき、大入賞口の１８回連続開閉の連続回数が２回目から１１回目の場合には、キャラクタ５０の両アーム５６は、パチンコ球が連続始動口２２を通過後、キャラクタ用定位置検出スイッチ６７がアーム５６の下傾端位置を検出した時点で下傾端で停止し、球受渡し部材５９上へのパチンコ球の停留が可能となる（第３作動パターン、図２２参照）。
【００７８】
そして、両アーム５６は大入賞口２０の１５回目の開放時、若しくは大入賞口２０への入賞球が４個カウントされた時点で１回２．０秒間の連続往復傾動動作を反復し、大入賞口２０の開閉動作終了後、電源投入時の状態に復元する。
【００７９】
一方、大入賞口の１８回連続開閉の連続回数が１２回目から１６回目の場合には、キャラクタ５０の両アーム５６は、パチンコ球が連続作動口２２を通過後、キャラクタ用定位置検出スイッチ６７が両アーム５６の下傾端を検出した時点で下傾端で停止し、大入賞口２０の第１回目の開放時点から１往復２．０秒で往復傾動動作を開始して大入賞口２０の開閉終了後電源投入時の状態に復元する（第１作動パターン、図２１）。
この第１作動パターンは、単位時間当たりで見ると、両アーム５６が下傾端に位置する時間が反復回数の増分に伴って長くなるので、通常時の作動パターンよりは連続作動口２２に入賞する可能性が高まる。ただし、図２０に示す第２作動パターンのように下傾端で静止状態を維持する時間（本例では０．５秒間）がない点で、当該第２作動パターンよりは連続作動口２２に入賞する可能性が低くなる。
【００８０】
第２図柄表示体７５は両アーム５６の連続往復傾動動作の終了後電源投入時の状態に戻る。
【００８１】
大入賞口２０の１８回連続開閉の回数は最初の１回を含めて最高１６回まで許容される。
【００８２】
大入賞口２０の開閉中にパチンコ球が大入賞口２０に１０個入球すると、その時点で大入賞口２０が閉鎖される。
【００８３】
大入賞口２０の開閉中にパチンコ球が各始動口４Ａ，４Ｂ，４Ｃに入球した場合には規定数の賞品球を獲得するだけで、大入賞口２０の開閉終了後引続き大入賞口２０が開閉されることはない。
【００８４】
連続作動装置の作動中にパチンコ球が再度連続作動口２２内へ入球すると、大入賞口２０が４．０秒後に開放されて１８回連続開閉を開始する（図２３参照）。
【００８５】
続いて、上記した構成をもつ実施例の作用と効果を説明する。
本例では入賞装置１０の大入賞口２０への入賞が可能な状況を出現させるために設定される特定図柄を含む図柄群を変動表示してから変動表示を停止する第１図柄表示体１５Ａ，１５Ｂと、制御装置の制御信号によって上下方向へ傾動制御されるキャラクタ５０の両アーム５６と、この両アーム５６の動きを遊技者に有利になる動きに切替えるために設定される特定図柄を含む図柄群を変動表示してから変動表示を停止する第２図柄表示体７５とを入賞装置１０に組込んである。
【００８６】
このため、第１図柄表示体１５Ａ，１５Ｂの停止図柄が判定されて停止図柄によって大入賞口２０への入賞が可能な状況が出現するとともに、第２図柄表示体７５の停止図柄が判定されて両アーム５６の動きが切替えられ、大入賞口２０に入賞したパチンコ球が連続作動口２２へ入賞し易い状況と入賞し難い状況とが両アーム５６の動きの切替えによって出現し、さらに、パチンコ球が連続作動口２２へ入賞すると、両アーム５６が連続作動口２２へ入賞し易い別態様の動きをするので、大当たり入賞までの経過を多様化してゲーム内容を高度化し、ゲームの興趣を高めることができる。
【図面の簡単な説明】
【図１】本発明の１実施例を示すもので入賞装置の正面図である。
【図２】パチンコ機の正面図である。
【図３】パチンコ機の裏面図である。
【図４】遊技盤の裏面図である。
【図５】入賞装置の縦断面図である。
【図６】同じく、斜視図である。
【図７】図５のＸ１−Ｘ１線断面図である。
【図８】大入賞口開閉機構の裏面図である。
【図９】アーム駆動機構の縦断面図である。
【図１０】アームが下傾端で停止した状態を示すキャラクタの斜視図である。
【図１１】アームが上傾端へ傾動した状態を示すキャラクタの斜視図である。
【図１２】アームが上傾端へ傾動した状態を示すアーム駆動機構の背面図である。
【図１３】アームが下傾端へ傾動した状態を示すアーム駆動機構の背面図である。
【図１４】パチンコ機の電気配線図である。
【図１５】アームの動きを示すタイムチャートである。
【図１６】第１図柄表示体の作動態様を示すタイムチャートである。
【図１７】大入賞口の開閉態様を示すタイムチャートである。
【図１８】大入賞口の開閉態様を示すタイムチャートである。
【図１９】第２図柄表示体の作動態様を示すタイムチャートである。
【図２０】アームの動きを示すタイムチャートである。
【図２１】大入賞口の開閉態様と、アームの動きと、連続作動装置の作動態様とを示すタイムチャートである。
【図２２】大入賞口の開閉態様と、アームの動きと、連続作動装置の作動態様とを示すタイムチャートである。
【図２３】大入賞口の開閉態様と、アームの動きと、連続作動装置の作動態様とを示すタイムチャートである。
【図２４】大入賞口の開閉態様と、アームの動きと、連続作動装置の作動態様とを示すタイムチャートである。
【符号の説明】
１０  入賞装置
１５Ａ，１５Ｂ  第１図柄表示体
２０  大入賞口
５６  アーム
７５  第２図柄表示体
【図１】
0003710491.tif 000002
【図２】
0003710491.tif 000003
【図３】
0003710491.tif 000004
【図４】
0003710491.tif 000005
【図５】
0003710491.tif 000006
【図６】
0003710491.tif 000007
【図７】
0003710491.tif 000008
【図８】
0003710491.tif 000009
【図９】
0003710491.tif 000010
【図１０】
0003710491.tif 000011
【図１１】
0003710491.tif 000012
【図１２】
0003710491.tif 000013
【図１３】
0003710491.tif 000014
【図１４】
0003710491.tif 000015
【図１５】
0003710491.tif 000016
【図１６】
0003710491.tif 000017
【図１７】
0003710491.tif 000018
【図１８】
0003710491.tif 000019
【図１９】
0003710491.tif 000020
【図２０】
0003710491.tif 000021
【図２１】
0003710491.tif 000022
【図２２】
0003710491.tif 000023
【図２３】
0003710491.tif 000024
【図２４】
0003710491.tif 000025